(57)【特許請求の範囲】
【請求項１】
執刀医、手術及び被制御機器のそれぞれを識別するための識別情報と、手術時に用いられる各被制御機器に対する操作内容と、記録時間とを含む操作ログデータについて、時系列的に隣り合う２つの操作ログデータの記録時間の差が、所定時間以上の時間間隔を有するか否かを判定する時間間隔判定部と、
前記時間間隔判定部において前記時系列的に隣り合う２つの操作ログデータの前記記録時間の差が前記所定時間以上の時間間隔を有すると判定されたとき、時系列的に連続し、かつ前記時系列的に隣り合う２つの操作ログデータの前記記録時間の差が前記所定時間未満である、複数の操作ログデータを、１つのシーンとしてグルーピングするグルーピング部と、
を有することを特徴とする医療支援装置。
【請求項２】
前記時間間隔判定部は、手術中に行われた前記各被制御機器に対する操作の操作ログデータを記憶装置に記憶するときに、前記時系列的に隣り合う２つの操作ログデータの前記記録時間の差が、前記所定時間以上の時間間隔を有するか否かを判定することを特徴とする請求項１に記載の医療支援装置。
【請求項３】
前記時間間隔判定部は、記憶装置に記憶された前記各被制御機器に対する操作の操作ログデータについて、前記時系列的に隣り合う２つの操作ログデータの前記記録時間の差が、前記所定時間以上の時間間隔を有するか否かを判定することを特徴とする請求項１に記載の医療支援装置。
【請求項４】
前記グルーピング部は、前記１つのシーンとしてグルーピングされた前記複数の操作ログデータに対して、同一のシーン識別情報を付加することを特徴とする請求項１に記載の医療支援装置。
【請求項５】
前記グルーピング部によりグルーピングされた複数のシーンの中から１つのシーンを選択するシーン選択部と、
前記シーン選択部において選択された前記１つのシーンについての前記複数の操作ログデータのそれぞれに含まれる前記被制御機器の情報と前記操作内容とに基づいて、前記各被制御機器に対する操作信号を出力するシーン操作信号出力部と、
を有することを特徴とする請求項１に記載の医療支援装置。
【請求項６】
前記執刀医及び前記手術の前記識別情報に合致する前記操作ログデータを抽出する操作ログデータ抽出部を有し、
前記シーン操作信号出力部は、前記操作ログデータ抽出部により抽出された操作ログデータに含まれる前記被制御機器の情報と前記操作内容とに基づいて、前記各被制御機器に対する前記操作信号を出力することを特徴とする請求項５に記載の医療支援装置。
【請求項７】
前記被制御機器は、テレビ会議システムであり、
前記操作内容は、前記テレビ会議システムを電話回線あるいは通信回線を介して相手方のテレビ会議システムとの通信を確立するためのテレビ会議接続情報を含むことを特徴とする請求項１に記載の医療支援装置。
【請求項８】
前記シーン毎に、表示装置に表示するチェックリスト情報を記録した記録部を有することを特徴とする請求項１に記載の医療支援装置。
【請求項９】
執刀医、手術及び被制御機器のそれぞれを識別するための識別情報と、手術時に用いられる各被制御機器に対する操作内容と、記録時間とを含む操作ログデータを有する医療支援装置の時間間隔判定部が、該操作ログデータについて、時系列的に隣り合う２つの操作ログデータの記録時間の差が、所定時間以上の時間間隔を有するか否かを判定し、
前記医療支援措置の操作ログデータをグルーピングするグルーピング部が、前記時間間隔判定部により前記時系列的に隣り合う２つの操作ログデータの前記記録時間の差が前記所定時間以上の時間間隔を有すると判定されたとき、時系列的に連続し、かつ前記時系列的に隣り合う２つの操作ログデータの前記記録時間の差が前記所定時間未満である、複数の操作ログデータを、１つのシーンとしてグルーピングする、
ことを特徴とする医療支援装置の作動方法。
【請求項１０】
前記時間間隔判定部は、手術中に行われた前記各被制御機器に対する操作の操作ログデータを記憶装置に記憶するときに、前記時系列的に隣り合う２つの操作ログデータの前記記録時間の差が、前記所定時間以上の時間間隔を有するか否かを判定することを特徴とする請求項９に記載の医療支援装置の作動方法。
【請求項１１】
前記時間間隔判定部は、記憶装置に記憶された前記各被制御機器に対する操作の操作ログデータについて、前記時系列的に隣り合う２つの操作ログデータの前記記録時間の差が、前記所定時間以上の時間間隔を有するか否かを判定することを特徴とする請求項９に記載の医療支援装置の作動方法。
【請求項１２】
前記グルーピング部は、前記１つのシーンとしてグルーピングされた前記複数の操作ログデータに対して、同一のシーン識別情報を付加することを特徴とする請求項９に記載の医療支援装置の作動方法。
【請求項１３】
前記医療支援装置のシーン選択部が、グルーピングされた複数のシーンの中から１つのシーンを選択し、
前記医療支援装置のシーン操作信号出力部が、前記シーン選択部において選択された前記１つのシーンについての前記複数の操作ログデータのそれぞれに含まれる前記被制御機器の情報と前記操作内容とに基づいて、前記各被制御機器に対する操作信号を出力する、
ことを特徴とする請求項９に記載の医療支援装置の作動方法。
【請求項１４】
前記医療支援装置の操作ログデータ抽出部が、前記執刀医及び前記手術の前記識別情報に合致する前記操作ログデータを抽出し、
前記シーン操作信号出力部が、前記操作ログデータ抽出部により抽出された操作ログデータに含まれる前記被制御機器の情報と前記操作内容とに基づいて、前記各被制御機器に対する前記操作信号を出力することを特徴とする請求項１３に記載の医療支援装置の作動方法。
【請求項１５】
前記被制御機器は、テレビ会議システムであり、
前記操作内容は、前記テレビ会議システムを電話回線あるいは通信回線を介して相手方のテレビ会議システムとの通信を確立するためのテレビ会議接続情報を含むことを特徴とする請求項９に記載の医療支援装置の作動方法。
【発明の詳細な説明】
【技術分野】
【０００１】
本発明は、手術に用いられる各種機器に対するシーン別の各種設定を支援する医療支援装置及び医療支援装置の作動方法に関する。
【背景技術】
【０００２】
手術室には各種医療機器が設置されている。各種医療機器には、無影灯、内視鏡装置、気腹装置、電気メス装置等、様々な機器があり、手術中のシーン毎に、各機器に対して必要なオン・オフ設定、出力設定値の変更等が行われる。さらに、手術室には、室内灯、外部との通信をするための通信機器や、録画のためのビデオ機器、テレビ会議システム等の非医療機器も設置されている。これらの非医療機器に対しても、手術中のシーン毎に、必要な機器のオン・オフ設定、出力設定値の変更等が行われる。【０００３】
一般に、手術室内の各機器は、システムコントローラにより集中的に制御される。手術室内の滅菌域にいる看護師が、手術中のシーン変更の度に、システムコントローラに接続された操作パネルなどの入力装置を操作することにより、各機器のオン・オフ、設定変更などを行う。すなわち、手術中のシーン変更に合わせて、各機器のオン・オフ、設定値変更などが行われながら、手術は行われる。【０００４】
各機器の操作方法は、互いに異なるため、看護師が機器の操作に慣れない場合、操作を迅速に行うことができない。そこで、特開２００４−１０５５３３号公報に開示のように、手術中の医療装置の操作画面を表示装置に表示するようにして、その装置の操作になれていないユーザでも容易に使いこなせるようにした内視鏡外科システムが提案されている。【０００５】
また、入力装置へのワンタッチ操作で、シーン毎に予め設定された各機器の設定等を、一括変更することができる機能を有するシステムも実用化されている。【０００６】
しかし、ワンタッチ操作で、各機器のオン・オフ、出力設定値の変更等を同時に変更できるようにするためには、シーン毎の各機器のオン・オフ、出力設定値の変更等の情報の設定を予め行わなければならず、その設定作業は、繁雑である。【０００７】
また、上記の提案のシステムでは、手術を行う執刀医の名前で、一連の設定値を纏めて、ハードディスクに自動設定ファイルとしてファイル保存しているが、上記の提案のシステムにおいても、シーン毎の設定のためには、その保存されたデータに対して、シーン毎の各機器のオン・オフ、出力設定値の変更等の情報の設定という繁雑な作業を予め行わなければならない。【０００８】
そこで、本発明は、手術のシーン毎の、各機器のオン・オフ設定、出力設定値の変更等の情報の設定を自動的に行うことができる医療支援装置及び医療支援装置の作動方法を提供することを目的とする。
【発明の開示】
【課題を解決するための手段】
【０００９】
本発明の一態様の医療支援装置は、執刀医、手術及び被制御機器のそれぞれを識別するための識別情報と、手術時に用いられる各被制御機器に対する操作内容と、記録時間とを含む操作ログデータについて、時系列的に隣り合う２つの操作ログデータの記録時間の差が、所定時間以上の時間間隔を有するか否かを判定する時間間隔判定部と、前記時間間隔判定部において前記時系列的に隣り合う２つの操作ログデータの前記記録時間の差が前記所定時間以上の時間間隔を有すると判定されたとき、時系列的に連続し、かつ前記時系列的に隣り合う２つの操作ログデータの前記記録時間の差が前記所定時間未満である、複数の操作ログデータを、１つのシーンとしてグルーピングするグルーピング部と、を有する。【００１０】
本発明の一態様の医療支援装置の作動方法は、執刀医、手術及び被制御機器のそれぞれを識別するための識別情報と、手術時に用いられる各被制御機器に対する操作内容と、記録時間とを含む操作ログデータを有する医療支援装置の時間間隔判定部が、該操作ログデータについて時系列的に隣り合う２つの操作ログデータの記録時間の差が、所定時間以上の時間間隔を有するか否かを判定し、前記医療支援措置の操作ログデータをグルーピングするグルーピング部が、前記時間間隔判定部により前記時系列的に隣り合う２つの操作ログデータの前記記録時間の差が前記所定時間以上の時間間隔を有すると判定されたとき、時系列的に連続し、かつ前記時系列的に隣り合う２つの操作ログデータの前記記録時間の差が前記所定時間未満である、複数の操作ログデータを、１つのシーンとしてグルーピングする。
【図面の簡単な説明】
【００１１】
【図１】本発明の第１の実施の形態に係わる手術システム１の構成図である。
【図２】本発明の第１の実施の形態に係わるシステムコントローラ２２の構成を説明するためのブロック図である。
【図３】本発明の第１の実施の形態に係わる操作ログデータの構成を示す図である。
【図４】本発明の第１の実施の形態に係わる操作ログ収集プログラムP1の処理の流れを示すフローチャートである。
【図５】ある執刀医が行ったある手術のシーンの流れを説明するための図である。
【図６】図５の手術中の各段階における各機器の設定状態及び出力状態の例を示す図である。
【図７】本発明の第１の実施の形態に係わる、手術室の各機器の設定状態及び出力状態を変更するときに、操作パネル２１の表示器の画面上に表示されるシーン選択画面SSの例を示す図である。
【図８】本発明の第１の実施の形態に係わる、機器設定再生プログラムP2の処理の流れを示すフローチャートである。
【図９】本発明の第１の実施の形態に係わる、テレビ会議接続情報を記憶するテレビ会議接続情報テーブルTBL1の構成例を示す図である。
【図１０】本発明の第１の実施の形態に係わる、シーンとチェックリストの対応テーブルTBL2の例を示す図である。
【図１１】本発明の第１の実施の形態に係わるチェックリストの例を示す図である。
【図１２】本発明の第１の実施の形態に係わるチェックリストの他の例を示す図である。
【図１３】本発明の第２の実施の形態に係わる、記憶装置４２に既に記憶されている操作ログデータDDAの構成例を示す図である。
【図１４】本発明の第２の実施の形態に係わる、シーン番号付操作ログデータ作成プログラムP1Aの処理の流れの例を示すフローチャートである。
【発明を実施するための最良の形態】
【００１２】
以下、図面を参照して本発明の実施の形態を説明する。【００１３】
（第１の実施の形態）
まず、図１を用いて手術室に配置される手術システム１の全体構成を説明する。図１は本発明の実施の形態に係る手術システム１の構成図である。手術システム１は、複数の医療機器と、複数の非医療機器とを含んでいる。【００１４】
図１に示すように、手術室内には、患者４８が横たわる患者ベッド１０、複数の無影灯６、表示装置８、及び医療システム３が配置される。この医療システム３は、第１カート１１及び第２カート１２を有している。各無影灯６と表示装置８は、手術室の天井にアーム７により固定されている。【００１５】
第１カート１１には、被制御装置である医療機器として例えば電気メス装置１３、気腹装置１４、内視鏡用カメラ装置１５、光源装置１６及びビデオテープレコーダ（ＶＴＲ）１７等の装置類と、二酸化炭素を充填したガスボンベ１８が載置されている。内視鏡用カメラ装置１５は、カメラケーブル３１ａを介して第１の内視鏡３１に接続される。【００１６】
光源装置１６は、ライトガイドケーブル３１ｂを介して第１の内視鏡３１に接続される。また、第１カート１１には、表示装置１９、第１の集中表示パネル２０、操作パネル２１等が載置されている。表示装置１９は、内視鏡画像等を表示する、例えばＴＶモニタである。【００１７】
集中表示パネル２０は、手術中のあらゆるデータを選択的に表示させることが可能な表示手段となっている。操作パネル２１は、例えば液晶ディスプレイ等の表示部とこの表示部上に一体的に設けられた例えばタッチセンサにより構成され、非滅菌域にいる看護師等が操作する集中操作装置になっている。【００１８】
更に、第１カート１１には、集中制御装置であるシステムコントローラ２２が載置されている。このシステムコントローラ２２には、上述の各無影灯６と電気メス装置１３と気腹装置１４と内視鏡用カメラ装置１５と光源装置１６とＶＴＲ１７とが、図示しない通信線を介して接続されている。システムコントローラ２２には、ヘッドセット型のマイク３３が接続できるようになっており、システムコントローラ２２はマイク３３から入力された音声を認識し、術者の音声により各機器を制御できるようになっている。【００１９】
また、第１カート１１には、第１の内視鏡３１や、電気メス装置１３の処置具などに埋め込まれているIDタグにより、物の個別ID情報を無線にて読み取り／書き取りできるＲＦＩＤ（Radio Frequency Identification）端末３５が設けられている。【００２０】
一方、第２カート１２には、被制御装置である内視鏡用カメラ装置２３、光源装置２４、画像処理装置２５、表示装置２６及び第２の集中表示パネル２７が載置されている。内視鏡用カメラ装置２３はカメラケーブル３２ａを介して第２の内視鏡３２に接続される。光源装置２４はライトガイドケーブル３２ｂを介して第２の内視鏡３２に接続される。【００２１】
表示装置２６は、内視鏡用カメラ装置２３でとらえた内視鏡画像等を表示する。第２の集中表示パネル２７は、手術中のあらゆるデータを選択的に表示させることが可能になっている。【００２２】
これら内視鏡用カメラ装置２３と光源装置２４と画像処理装置２５とは、第２カート１２に載置された中継ユニット２８に図示しない通信線を介して接続されている。そして、この中継ユニット２８は、中継ケーブル２９によって、上述の第１カート１１に搭載されているシステムコントローラ２２に接続されている。【００２３】
こうして、システムコントローラ２２は、これらの第２カート１２に搭載されている内視鏡用カメラ装置２３、光源装置２４及び画像処理装置２５と、第１カート１１に搭載されている電気メス装置１３、気腹装置１４、内視鏡用カメラ装置１５、光源装置１６及びＶＴＲ１７と、各無影灯６、各表示装置８及び室内灯（図示せず）と、を集中制御することができるようになっている。このため、システムコントローラ２２とこれらの装置との間で通信が行われている場合、システムコントローラ２２は、上述の操作パネル２１の液晶ディスプレイ上に、接続されている装置の設定状態や操作スイッチ等の設定画面を表示できるようになっている．さらに、システムコントローラ２２は、所望の操作スイッチが触れられて所定領域のタッチセンサが操作されることによって設定値の変更等の操作入力が行えるようになっている。【００２４】
リモートコントローラ３０は、滅菌域にいる執刀医等が操作する第２集中操作装置であり、通信が成立している他の装置を、システムコントローラ２２を介して操作することができるようになっている。【００２５】
このシステムコントローラ２２は、ケーブル９により患者モニタシステム４に接続されており、患者モニタシステム４は生体情報を解析し、この解析結果を所要の表示装置に表示させることができる。【００２６】
また、システムコントローラ２２には、通信手段である赤外線通信ポート（図示せず）が取り付けられている。この赤外線通信ポートは、表示装置１９の近傍等の赤外線が照射しやすい位置に設けられ、システムコントローラ２２との間がケーブルで接続されている。【００２７】
図２は、システムコントローラ２２の構成を説明するためのブロック図である。  
システムコントローラ２２は、制御部４１と、記憶装置４２と、通信インターフェース部（以下、通信I/Fという）４３と、時計部４４と、音声認識部４５と、画像出力部４６とを含んで構成されている。【００２８】
制御部４１は、中央処理装置（以下、CPUという）、ROM、RAMを含み、CPUがROM又は後述する記憶装置４２に記憶された各種プログラムを読み出して実行することにより、制御部４１内の各部、及び手術システム１の各医療機器と各非医療機器の動作を制御する。【００２９】
記憶装置４２は、ハードディスク装置等の記憶部であり、各種プログラムと各種データを記憶する。記憶装置４２は、制御部４１と接続され、制御部４１の制御の下、記憶装置４２に対する各種プログラム及び各種データの読み出しと書き込みが、行われる。記憶装置４２には、後述する、操作ログ収集プログラムP1、機器設定再生プログラムP2、及び操作ログデータDDが記憶されている。【００３０】
通信I/F４３は、気腹装置１４等の各種医療機器及び表示装置８等の各種非医療機器と、制御部４１との間のインターフェース回路部である。制御部４１からの制御信号は、通信I/F４３を介して各機器へ出力され、各機器からの各種信号は、通信I/F４３を介して制御部４１へ入力される。【００３１】
時計部４４は、時刻データを生成して出力する回路である。時計部４４は、時刻データを制御部４１に出力する。  
音声認識部４５は、マイク３３からの音声信号を入力して、執刀医若しくは看護師が発した音声を認識して、認識した音声データを、制御部４１へ出力する。例えば、執刀医は、音声で所望の機器に対して、所望のコマンドを音声で入力することができる。【００３２】
画像出力部４６が、制御部４１の制御の下、記憶装置４２から各種データを読み出し、後述するシーン選択画面等の各種画面等の画像データを生成して、操作パネル２１へ出力する処理部である。【００３３】
制御部４１は、操作パネル２１にも接続されており、タッチセンサへの入力信号を、操作パネル２１から入力すると共に、操作パネル２１の表示部に各種画面及び各種データを表示するための制御信号及びデータ信号を画像出力部４６に出力する。【００３４】
さらに、システムコントローラ２２には、通信コントローラ５１が接続されている。通信コントローラ５１は、テレビ会議システム５２と接続されている。具体的には、通信コントローラ５１は、制御部４１と接続されており、制御部４１からの制御信号に基づいて、テレビ会議システム５２を起動、制御などを行う。【００３５】
テレビ会議システム５２は、手術室内の執刀医と、遠隔の者（例えば、医者）とが、所謂テレビ会議するためのシステムであり、手術中の状況を、遠隔の者に伝達するために利用される。【００３６】
（操作ログデータ）
次に、手術中に収集され、かつ後述するように、シーン毎にグルーピングされる操作ログデータの構成について説明する。  
制御部４１は、手術中になされた操作パネル２１の操作のデータを、操作ログデータとして記録する。図３は、操作ログデータの構成を示す図である。【００３７】
図３に示すように、記憶装置４２に記憶される操作ログデータDDは、シーン番号（シーン＃）、時刻、ログオン識別子（以下、ログオンIDという）、手術名、機器名、機能名、及び変更された値の複数の項目のデータを含む。
シーン番号は、一つの手術において時間の経過と共に変化するシーンの識別子である。ここでは、識別子は、シーン番号であるが、番号でなくてもよい。手術中の１つのシーンでは、手術システム１内の各機器の設定状態及び出力状態が変化しない状態で、執刀医によって処理あるいは処置が行われる。ある１つのシーンにおける手術システム１内の各機器の設定状態及び出力状態とは異なるように、少なくとも１つの機器の設定状態あるいは出力状態が変更されると、シーンの変更がされたとして、その１つのシーンと、設定状態等が変更された後のシーンとは、同じ１つのシーンとはならない。【００３８】
例えば、手術を始める直前の準備段階のシーンは、手術室内の室内灯はオン状態で、無影灯６はオフ状態であり、かつ他の機器の電源は、オン状態のシーンである。そのシーンから、トロッカーを挿入する段階のシーンになると、室内灯は消灯され、気腹装置１４の出力圧は所定の圧力に変更され、光源装置１６はオンにされる、等の各種操作が行われる。さらに、トロッカー挿入後、切除範囲同定の段階のシーンになると、気腹装置１４の出力が変更され、CO2の送気が行われる。【００３９】
以上のように、ある処理あるいは処置が行われる間は、手術システム１内の各医療機器及び各非医療機器は、その設定状態や出力状態は、変更されないが、別の処理あるいは処置が行われるときには、手術システム１内の各医療機器及び各非医療機器の設定状態や出力状態は、変更される。  
よって、シーンは、手術システム１内の各医療機器及び各非医療機器の設定状態や出力状態が変更されない状態で、処理あるいは処置が行われる場面を指す。【００４０】
図３において、時刻は、操作のあった時間、言い換えれば操作ログデータが記憶装置４２に記録されたときの時刻である。ここでは、記録時刻は、年、月、日、時、分、秒からなる。【００４１】
ログオンIDは、手術を行う執刀医を識別するための情報である。  
手術名は、行われる手術のタイトルである。  
機器名は、手術システム１中の操作対象である医療機器あるいは非医療機器の名称である。【００４２】
機能名は、操作の機能の名称である。例えば、機能名には、オン・オフの切り替え、設定値の変更、入力チャンネルの切り替え、等が含まれる。  
変更された値は、操作の内容を示す情報であり、オン、オフ、変更された設定値、変更された出力レベル等の情報である。【００４３】
図３に示す操作ログデータは、後述する処理を行うことにより、作成される。  
図３に示すように、シーン番号が「１０」の後に、シーン番号が「１」で、時刻「2013/2/1 10:00:15」で、ログオンIDが「１」で、手術名が「ABC」で、機器名が「Light1」で、機能名が「ON/OFF」で、変更された値が「ON」の１つの操作ログデータが、シーン番号が「１」の最初の操作ログデータとして、記録されている。そのシーン番号「１」の最初の操作ログデータの後には、７つの操作ログデータが記録されている。すなわち、図３は、最初の操作ログデータから、シーン番号が「１」で、時刻「2013/2/1 10:00:45」で、ログオンIDが「１」で、手術名が「ABC」で、機器名が「Light2」で、機能名が「Intensity」で、変更された値が「１」の１つの操作ログデータまでが、シーン番号が「１」の操作ログデータとして、記録されていることを示している。【００４４】
図３は、さらに、シーン番号が「２」で、時刻「2013/2/1 10:12:00」で、ログオンIDが「１」で、手術名が「ABC」で、機器名が「Insuflator」で、機能名が「Start/Stop」で、変更された値が「Start」の操作ログデータと、それ以降の操作ログデータが、シーン番号「２」の操作ログデータとして、記録されていることを示している。  
シーン１とシーン２の操作ログデータの時間間隔は、１０分以上の時間である。【００４５】
システムコントローラ２２は、操作ログ収集プログラムP1を実行することにより、操作パネル２１に入力された操作を監視し、操作ログデータを収集し、かつシーンの区切りを自動判別して、シーン番号を付与することにより、シーン毎の操作ログデータをグルーピングして、図３に示すようなシーン番号を有する操作ログデータDDを作成し、記憶装置４２に記憶する。【００４６】
（動作）
次に、操作ログ収集プログラムP1により、操作ログデータのグルーピング処理について説明する。操作ログ収集プログラムP1は、手術中に操作ログデータを収集しながら、操作ログデータをグルーピングして、シーン番号付きの操作ログデータを生成する。よって、操作ログ収集プログラムP1を実行するシステムコントローラ２２は、操作ログデータをグルーピングする医療支援装置を構成する。【００４７】
制御部４１のCPUが、記憶装置４２に記憶されている操作ログ収集プログラムP1を読み出して、実行することによって、図４の処理は、実行される。  
図４は、操作ログ収集プログラムP1の処理の流れを示すフローチャートである。  
例えば、看護師が、シーン別の操作ログデータの作成指示をシステムコントローラ２２の操作パネル２１において入力すると、制御部４１は、操作ログ収集プログラムP1を記憶装置４２から読み出して実行する。【００４８】
制御部４１は、まず、操作パネル２１の表示部の画面上に、所定のメッセージと共に、執刀医のログオンIDを入力させるための入力フィールドを表示し、執刀医又は看護師にその入力フィールドに執刀医のログオンIDの入力させるログオンIDの入力処理を実行する（S1）。【００４９】
ログオンIDの入力処理が終了すると、制御部４１は、操作パネル２１の表示部の画面上に、所定のメッセージと共に、これから行う手術名を入力する入力フィールドを表示し、執刀医又は看護師にその入力フィールドに手術名の入力させる手術名の入力処理を実行する（S2）。  
S2の処理の後、制御部４１は、操作パネル２１への操作入力が有るか否かを判定する（S3）。すなわち、操作パネル２１への操作の有無が判定される。【００５０】
操作入力が有ると（S3:YES）、制御部４１は、操作ログの記録を行う（S4）。S4では、図３の操作ログデータ中、時刻、ログオンID、手術名、機器名、機能名、及び変更された値の項目のデータが、記録される。すなわち、シーン番号以外の操作ログデータが、操作ログデータDDに追加される。【００５１】
次に、制御部４１は、今回記録した操作ログデータの記録時刻tpと、前回記録した操作ログデータの記録時刻tfとの差を演算して、記録時刻の間隔と所定時間THとを比較するための、記録時刻のチェックを行う（S5）。【００５２】
制御部４１は、S5のチェックの結果、今回記録した操作ログデータの記録時刻tpと前回記録した操作ログデータの記録時刻tfとの間に、所定時間TH以上の時間間隔があるか否かを判定する（S6）。すなわち、S6の処理は、執刀医、手術及び被制御機器のそれぞれを識別するための識別情報と、手術時に用いられる各被制御機器に対する操作内容と、記録時間とを含む操作ログデータについて、時系列的に隣り合う２つの操作ログデータの記録時間の差が、所定時間TH以上の時間間隔を有するか否かを判定する時間間隔判定部を構成する。特に、時間間隔判定部であるS6では、手術中に行われた各被制御機器に対する操作の操作ログデータを記憶装置４２に記憶するときに、時系列的に隣り合う２つの操作ログデータの記録時間の差が、所定時間TH以上の時間間隔を有するか否かが判定される。【００５３】
所定時間TH以上の時間間隔があれば（S6:YES）、制御部４１は、所定時間TH以上の時間間隔が空く前の操作ログデータを、グルーピングする（S7）。すなわち、制御部４１は、前回の記録された記録時刻tfまでの操作ログデータであって、シーン番号が付与されていない操作ログデータを、１つのグループとして、グルーピングする。【００５４】
例えば、図３の場合で、所定時間THが１０分間であるとしたとき、時刻「2013/2/1 10:00:15」の最初の操作ログデータからそれに続く７つの操作ログデータまで、隣り合う２つの操作ログデータ間の時間間隔は、所定時間TH未満である。しかし、時刻「2013/2/1 10:01:45」と時刻「2013/2/1 10:12:00」の時間差が１０分以上あるので、制御部４１は、時刻「2013/2/1 10:12:00」の操作ログデータが記録されたときに、時刻「2013/2/1 10:00:15」から時刻「2013/2/1 10:01:45」までの操作ログデータをグルーピングして、シーン番号を付与する。シーン番号は、ここでは「１」が１ずつインクリメントされるようにして決定され、ここでは、シーン番号「１」が付与されてグルーピングされている。【００５５】
すなわち、S7の処理は、S6の処理において時系列的に隣り合う２つの操作ログデータの記録時間の差が所定時間TH]以上の時間間隔を有すると判定されたとき、時系列的に連続し、かつ時系列的に隣り合う２つの操作ログデータの記録時間の差が所定時間TH未満である、複数の操作ログデータを、１つのシーンとしてグルーピングするグルーピング部を構成する。特に、S7では、１つのシーンとしてグルーピングされた複数の操作ログデータに対して、同一のシーン識別情報としてのシーン番号が付加される。【００５６】
次に、制御部４１は、終了指示がされたか否かを判定する（S8）。操作パネル２１に手術終了あるいは記録終了の終了コマンドが入力されると（S8:YES）、処理は、終了する。操作パネル２１に手術の終了コマンドが入力されなければ、処理は、S3に戻る。【００５７】
また、操作入力がないとき（S3:NO）は、処理は、S8に移行する。さらに、今回記録した操作ログデータの記録時間tpと前回記録した操作ログデータの記録時間tfとの間に、所定時間TH以上の時間間隔がないときも（S6:NO）、処理は、S8に移行する。【００５８】
以上の処理を実行することにより、図３に示す操作ログデータDDが記憶装置４２に記憶される。  
ここで、手術の具体的な例を挙げて説明する。図５は、ある執刀医が行ったある手術のシーンの流れを説明するための図である。【００５９】
図５に示すように、ある手術が、初めに、麻酔導入のための「１．準備」の段階があり、「１．準備」の後に、トロッカー挿入のための「２．ラパロ」の段階があり、「２．ラパロ」の後に、切除範囲同定のための「３．術中内視鏡」の段階があり、「３．術中内視鏡」の後に、病変部切除のための「４．ラパロ」の段階があり、「４．ラパロ」の後に、切除箇所確認のための「５．術中内視鏡」の段階があり、「５．術中内視鏡」の後に、縫合のための「６．クローズ」の段階を含む、複数の段階を有しているとする。【００６０】
図５の手術は、以上のような一連の６つの段階を含んでいる。６つの段階の中で、ある段階から次の段階に移行するとき、次の段階において行われる処理あるいは処理のために必要な手術室内の各機器の設定状態あるいは出力状態の変更が行われる。【００６１】
図６は、手術中の各段階における各機器の設定状態及び出力状態の例を示す図である。図６は、手術システムが、無影灯１，２、室内灯、腹腔鏡用の光源装置１，内視鏡用の光源装置２、表示装置としてのモニタ１，２を有する例である。そして、図６に示す手術は、時間ｔの経過に伴って、段階「１．準備」から段階「６．クローズ」までの処理あるいは処置が行われる。図６に示すように、段階「１．準備」が開始されると、各機器は、手術が開始される前の初期状態の設定状態及び出力状態から、図６の段階「１．準備」に示す設定状態及び出力状態に変更される。【００６２】
すなわち、段階「１．準備」における処理あるいは処置の前に、無影灯１と無影灯２の「オン」、室内灯の「オン」、気腹装置の出力設定値を「１２ｍｍHg」に設定すること、等々の操作が、看護師により、操作パネル２１において行われる。これらの操作は、連続して行われるため、図３のシーン番号が「１」の範囲の複数の操作ログデータの記録時刻の差は、所定時間（１０分間）以内に行われる。【００６３】
このような段階「１．準備」のための設定操作が行われた後に、段階「１．準備」の麻酔導入の処理あるいは処置が実行される。麻酔導入の処理あるいは処置には、所定時間（１０分間）以上の時間か掛かる。【００６４】
段階「１．準備」の処理あるいは処置が終了し、段階「２．ラパロ」が開始されると、各機器は、段階「１．準備」のための設定状態及び出力状態から、図６の段階「２．ラパロ」に示す設定状態及び出力状態に変更される。【００６５】
すなわち、段階「２．ラパロ」における処理あるいは処置の前に、無影灯１の「オフ」、無影灯２の「減光」、室内灯の「オフ」、気腹装置の出力設定値を「１５ｍｍHg」に設定すること、及び光源装置１のオンの操作が、看護師により、操作パネル２１において行われる。これらの操作は、連続して行われるため、図３のシーン番号が「２」の範囲の複数の操作ログデータの記録時刻の差は、所定時間（１０分間）以内に行われるが、トロッカー挿入の処理あるいは処置には、所定時間（１０分間）以上の時間か掛かる。【００６６】
このような段階「２．ラパロ」のための設定操作が行われ、無影灯と室内灯の消灯、腹腔鏡のランプ点灯、及び気腹開始が実行された後に、段階「２．ラパロ」のトロッカー挿入の処理あるいは処置が実行される。  
段階「２．ラパロ」の後に行われる切除範囲同定のための「３．術中内視鏡」の段階では、光源装置１が減光され、光源装置２がオンされ、モニタ１、２の出力画像を、内視鏡画像と腹腔鏡画像の両方を出力するように、設定される。【００６７】
このような段階「３．術中内視鏡」のための設定操作が行われ、内視鏡のランプ点灯、及びモニタ出力画像の切換が実行された後に、段階「３．術中内視鏡」の処置が実行される。【００６８】
以下、同様に、「４．ラパロ」と「５．術中内視鏡」の各段階のための設定操作が行われ、その後にその段階における処理あるいは処置が実行される。【００６９】
そして、病変部の切除が完了し、内視鏡で縫合部位の確認が行われた後、無影灯１，２と室内灯を点灯し、腹腔鏡と内視鏡用の光源装置のランプをオフにし、気腹装置を停止する最後の段階「６．クローズ」の処理が行われて、手術が終了する。手術の終了が指示されると、図３のような操作ログデータDDが、記憶装置４２に記憶される。【００７０】
以上のように、手術中の各処理あるいは処置に掛かる時間に基づいて、所定時間THを決定し、その決定された所定時間THに基づいて、操作ログの収集時に操作ログデータをグルーピングしてシーン別に分類することができる。【００７１】
図３に示す操作ログデータDDには、全ての手術の、全てのログオンIDのデータを含む。しかし、操作ログデータDDには、手術名とログオンIDの情報が含まれているので、看護師は、手術を行うときに、手術名とログオンIDを指定して、操作ログデータDDから、手術に使用される操作ログデータを検索して抽出することができる。  
そして、抽出された操作ログデータDD1について、シーン毎の名前を付けて、図７のようなシーン選択画面を作成することができる。【００７２】
図７は、手術室の各機器の設定状態及び出力状態を変更するときに、操作パネル２１の表示器の画面上に表示されるシーン選択画面SSの例を示す図である。  
シーン選択画面SSは、手術に含まれる各段階に対応する各シーンを選択するための、複数の選択ボタンB1〜B6を含む。各ボタンの表示部には、シーンの名前が設定されている。【００７３】
図７のような画面は、例えば、予め用意されているテンプレートの画面に、シーンの名前を付与するようにして、看護師によって作成される。  
操作パネル２１の画面上に表示された図７の画面上の所望のボタンに触れることによって、ユーザである看護師は、所望のシーンを選択することができる。【００７４】
次に、以上のようにして収集された操作ログデータDDと、図７のシーン選択画面SSとを利用して、手術を行う場合を説明する。  
図８は、機器設定再生プログラムP2の処理の流れを示すフローチャートである。【００７５】
図８の処理は、看護師が所定の指示コマンドを操作パネル２１に入力することによって実行される。よって、制御部４１は、その指示コマンドの入力を検知すると、記憶装置４２から機器設定再生プログラムP2を読み出して、実行する。【００７６】
まず、制御部４１は、データ抽出処理を実行する（S11）。データ抽出処理では、制御部４１は、操作パネル２１の表示部の画面上に、所定のメッセージと共に、執刀医と手術名を入力させるための入力フィールドを表示し、執刀医又は看護師にその入力フィールドに執刀医と手術名を入力させ、その入力された執刀医と手術名に合致する操作ログデータが抽出される。【００７７】
すなわち、膨大な操作ログデータDDの中から、これから行われる手術の執刀医と手術名が合致する操作ログデータDD1のみが抽出されて、その抽出された操作ログデータDD1を用いて、次に説明する機器設定の再生処理が行われる。よって、S11の処理は、執刀医及び手術の識別情報に合致する操作ログデータを抽出する操作ログデータ抽出部を構成する。【００７８】
そして、制御部４１は、シーン選択の有無を判定する（S12）。シーン選択の有無は、図７の選択ボタンB1〜B6のいずれかが看護師の指により触れられて選択されたか否かにより、判定される。  
シーン選択が無ければ（S12:NO）、処理は、何もしない。【００７９】
シーン選択があると（S12:YES）、制御部４１は、各機器に通信I/F４３を介して、選択されたシーンの設定データを出力する（S13）。例えば、シーン１が選択されると、シーン番号が「１」の操作ログデータを抽出して、各ログデータに指定された各機器に対して、指定された機能について、変更された値の設定を通信I/F４３を介して出力する。その結果、図６の段階「１．準備」に対応する各機器の設定状態あるいは出力状態が、制御部４１により一括変更されるので、手術時間も短縮される。【００８０】
よって、S12の処理が、グルーピング部であるS7によりグルーピングされた複数のシーンの中から１つのシーンを選択するシーン選択部を構成し、S13の処理が、S12において選択された１つのシーンについての複数の操作ログデータのそれぞれに含まれる被制御機器の情報と操作内容とに基づいて、各被制御機器に対する操作信号を出力するシーン操作信号出力部を構成する。【００８１】
なお、S13で出力された設定の中に、テレビ会議システム５２を利用する設定が含まれているときには、制御部４１は、通信コントローラ５１を制御して、テレビ会議システム５２を起動する。【００８２】
そのために、記憶装置４２には、テレビ会議のために外部と電話接続するための、テレビ会議接続情報が予め記憶されている。  
図９は、テレビ会議接続情報を記憶するテレビ会議接続情報テーブルTBL1の構成例を示す図である。【００８３】
テレビ会議システム５２は、電話回線を利用して、遠隔の者と音声と画像による通信を行うシステムであり、指定された電話番号に電話をかけることにより、相手方のテレビ会議システムとの通信を確立することができる。  
なお、ここでは、テレビ会議システム５２は、電話回線を利用するシステムであるが、インターネットなどの通信回線を利用するシステムでもよい。【００８４】
よって、テレビ会議接続情報テーブルTBL1には、シーン毎に、相手先の電話番号が予め登録されている。制御部４１は、シーン選択がされると、テレビ会議接続情報テーブルTBL1の登録情報をチェックし、選択されたシーンについて、電話番号が登録されているときには、S12において、通信コントローラ５１を制御して、登録されている電話番号に電話をかけて、テレビ会議システム５２を起動する。【００８５】
さらに、制御部４１は、チェックリストを表示する（S14）。S14において表示されるチェックリストは、各シーンにおいて必要な確認事項を、チェックリスト形式で、操作パネル２１の表示器の画面上に表示される。【００８６】
図１０は、シーンとチェックリストの対応テーブルTBL2の例を示す図である。図１０の対応テーブルTBL2は、例えば手術名毎に予め作成されて、記憶装置４２に記憶されている。【００８７】
対応テーブルTBL2は、シーン毎の、表示すべきチェックリストの情報を記憶したテーブルである。例えば、シーン番号「１」は、チェックリスト「ABC01」を表示することを示している。【００８８】
図１１と図１２は、チェックリストの例を示す図である。図１１と図１２に示すように、チェックリストは、執刀医及び看護師が選択したシーンにおいて確認すべき項目が表示されている。よって、シーンが選択されて変更されると、看護師などは、確認すべき項目を見て、必要な確認を行うことができる。すなわち、シーンが選択されると、対応テーブルTBL2にその選択されたシーンについて予め設定されているチェックリストがある場合には、図１１と図１２に示すようなチェックリストが、操作パネル２１の表示器の画面上に表示される。  
なお、チェックリストだけでなく、そのシーンにおいて必要な動画を再生して表示するようにしてもよい。動画は、選択されたシーンで使用される処置具による処置の様子を示す動画等である。【００８９】
図８に戻り、機器設定再生プログラムP2の実行終了の指示が、操作パネル２１においてされたか否かが判定される（S15）。機器設定再生プログラムP2の実行終了の指示がされると（S15:YES）、処理は、終了し、その指示がされないときは（S15:NO）、処理は、S12へ戻る。  
なお、この機器設定再生プログラムP2の実行中における、シーン選択、終了の指示は、マイク３３を用いた音声により行えるようにしてもよい。【００９０】
以上のように、本実施の形態の手術システム１によれば、手術のシーン毎の、各機器のオン・オフ設定、出力設定値の変更等の情報の設定を自動的に行うことができる医療支援装置を提供することができる。【００９１】
特に、本実施の形態の手術システム１によれば、シーン毎、各機器のオン・オフ設定、出力設定値の変更等をする作業が不要となる。【００９２】
（第２の実施の形態）
第１の実施の形態では、操作ログデータを収集しているときに、シーン番号の付与を付与して操作ログデータのグルーピングが行われているが、第２の実施の形態では、既に収集されて記録されている操作ログデータに、シーン番号の付与を行って操作ログデータのグルーピングを行う。【００９３】
第２の実施の形態の手術システムは、第１の実施の形態の手術システム１と同様の構成を有し、図１及び図２に示す構成と同様である。よって、本実施の形態は、第１の実施の形態と同じ構成については、同じ符号を用いて説明し、既に説明した構成の説明は省略し、異なる構成について説明する。【００９４】
操作ログデータDDAは、図２において点線で示すように、記憶装置４２に既に記憶されている。図１３は、その記憶装置４２に既に記憶されている操作ログデータDDAの構成例を示す図である。操作ログデータDDAは、図３の操作ログデータDDにおけるシーン番号の情報が含まれていない点を除き、図３の操作ログデータDDと同じ構成を有する。【００９５】
さらに、記憶装置４２には、操作ログデータDDAに対して、シーン番号付与を行うシーン番号付操作ログデータ作成プログラムP1A（図２において点線で示す）が記憶されており、制御部４１は、記憶装置４２からシーン番号付操作ログデータ作成プログラムP1Aを読み出して実行することにより、操作ログデータDDAに対して、シーン番号を付与してシーン番号付操作ログデータを作成することができる。よって、シーン番号付操作ログデータ作成プログラムP1Aを実行するシステムコントローラ２２は、操作ログデータをグルーピングする医療支援装置を構成する。【００９６】
図１４は、シーン番号付操作ログデータ作成プログラムP1Aの処理の流れの例を示すフローチャートである。  
例えば、看護師が、シーン別の操作ログデータの作成指示をシステムコントローラ２２の操作パネル２１において入力すると、制御部４１は、シーン番号付操作ログデータ作成プログラムP1Aを記憶装置４２から読み出して実行する。【００９７】
制御部４１は、まず、操作パネル２１の表示部の画面上に、所定のメッセージと共に、執刀医のログオンIDと手術名を入力させるための入力フィールドを表示し、執刀医又は看護師にその入力フィールドに執刀医のログオンIDと手術名の入力させるログオンIDと手術名の入力処理を実行する（S21）。【００９８】
ログオンIDと手術名の入力処理が終了すると、制御部４１は、S21で入力されたログオンIDと手術名に合致する処理対象の操作ログデータの抽出処理を実行する（S22）。すなわち、図１３に示す操作ログデータDDAの中から、S21で入力されたログオンIDと手術名に合致する操作ログデータのみが抽出される。【００９９】
例えば、ログオンIDが「１」で、手術名が「ABC」であれば、図１３の場合、その条件に合致する時刻「2013/2/1 10:00:15」以降の操作ログデータが抽出される。  
なお、抽出された操作ログデータは、時刻順となっている。【０１００】
次に、制御部４１は、S22で抽出された操作ログデータを読み出す（S23）。図１３の場合、時刻「2013/2/1 10:00:15」のデータが、最初に読み出される。  
制御部４１は、読み出して操作ログデータの記録時刻をチェックする（S24）。S24では、S23で読み出した操作ログデータの記録時刻tp1と、前回読み出した操作ログデータの記録時刻tf1との差を演算して、記録時刻の間隔を比較するための、記録時刻のチェックが行われる（S24）。【０１０１】
最初の操作ログデータの場合は、前回読み出した操作ログデータがないが、２回目以降に読み出された操作ログデータの場合は、今回読み出した操作ログデータの記録時刻tp1と、前回読み出した操作ログデータの記録時刻tf1との差が演算される。【０１０２】
制御部４１は、S24のチェックの結果、今回読み出した操作ログデータの記録時刻tpと前回読み出した操作ログデータの記録時刻tfとの間に、所定時間TH以上の時間間隔があるか否かを判定する（S25）。【０１０３】
よって、S25の処理は、執刀医、手術及び被制御機器のそれぞれを識別するための識別情報と、手術時に用いられる各被制御機器に対する操作内容と、記録時間とを含む操作ログデータについて、時系列的に隣り合う２つの操作ログデータの記録時間の差が、所定時間以上の時間間隔を有するか否かを判定する時間間隔判定部を構成する。特に、S25の時間間隔判定部では、記憶装置４２に記憶された各被制御機器に対する操作の操作ログデータについて、時系列的に隣り合う２つの操作ログデータの記録時間の差が、所定時間TH以上の時間間隔を有するか否かが判定される。【０１０４】
所定時間TH以上の時間間隔があれば（S25:YES）、制御部４１は、所定時間TH以上の時間間隔が空く前の操作ログデータを、グルーピングする（S26）。すなわち、制御部４１は、前回読み出された記録時刻tf1までの操作ログデータであって、シーン番号が付与されていない操作ログデータを、１つのグループとして、グルーピングする。【０１０５】
例えば、図１３の場合で、所定時間THが１０分間であるとしたとき、時刻「2013/2/1 10:00:15」の最初の操作ログデータからそれに続く７つの操作ログデータまでは、隣り合う２つの操作ログデータ間の時間間隔は、所定時間TH未満である。しかし、時刻「2013/2/1 10:01:45」と時刻「2013/2/1 10:12:00」の時間差が１０分以上あるので、制御部４１は、時刻「2013/2/1 10:12:00」の操作ログデータが記録されたときに、時刻「2013/2/1 10:00:15」から時刻「2013/2/1 10:01:45」までの操作ログデータをグルーピングして、シーン番号を付与する。シーン番号は、ここでは「１」が１ずつインクリメントされるようにして決定される。よって、最初に読み出された操作ログデータを含むデータについては、シーン番号「１」が付与され、それ以降に付与されるシーン番号は、「２」から順番にインクリメントされていく。【０１０６】
従って、S26の処理は、S25において時系列的に隣り合う２つの操作ログデータの記録時間の差が所定時間TH以上の時間間隔を有すると判定されたとき、時系列的に連続し、かつ時系列的に隣り合う２つの操作ログデータの記録時間の差が所定時間TH未満である、複数の操作ログデータを、１つのシーンとしてグルーピングするグルーピング部を構成する。特に、S26では、１つのシーンとしてグルーピングされた複数の操作ログデータに対して、同一のシーン識別情報としてのシーン番号が付加される。【０１０７】
次に、制御部４１は、読み出すべき操作ログデータが無いか否かを判定する（S27）。S22で抽出された操作ログデータを１つずつ読み出すが、最後まで読み出すと、読み出すべき操作ログデータが無くなる。よって、読み出すべき操作ログデータが無いと（S27:YES）、処理は、終了する。読み出すべき操作ログデータが残っていれば、処理は、S23に戻る。【０１０８】
また、今回読み出した操作ログデータの記録時間tp1と前回読み出した操作ログデータの記録時間tf1との間に、所定時間TH以上の時間間隔がないときも（S25:NO）、処理は、S27に移行する。  
以上の処理を実行することにより、図１３に示す操作ログデータDDAにつき、シーン毎にグルーピングすることができる。【０１０９】
以上のように、本実施の形態の手術システムによれば、手術のシーン毎の、各機器のオン・オフ設定、出力設定値の変更等の情報の設定を自動的に行うことができる医療支援装置を提供することができる。【０１１０】
なお、上述した２つの実施の形態では、操作ログデータを収集しているときに操作ログデータのグルーピングが行う、あるいは既に収集されて記録されている操作ログデータのグルーピングを行うが、一つのシーンを、個別に記憶装置４２に登録できるようにしてもよい。すなわち、任意のタイミングで、現在の各機器の設定状態と出力状態を、１つのシーンの状態として記憶装置４２に登録できるようにしてもよい。【０１１１】
例えば、所定のシーン登録ボタンを操作パネル２１の表示器の画面上に表示し、その所定のシーン登録ボタンが押されると（すなわちタッチされると）、そのボタンが押されたときにおける各機器の設定状態と出力状態を、１つのシーンの操作ログデータとして記憶装置４２に登録されるようにする。【０１１２】
このようにして個別に登録されたシーンの操作ログデータを、上述した第１あるいは第２の実施の形態において自動的に作成されたシーン別の操作ログデータ中に、一つのシーンの操作ログデータとして、任意のシーンの間に追加したり、あるいは既に登録されているシーンの設定等の情報と置き換えたりすることにより、シーンの追加、変更が可能となる。【０１１３】
以上のように、上述した２つの実施の形態の手術システムによれば、手術のシーン毎の、各機器のオン・オフ設定、出力設定値の変更等の情報の設定を自動的に行うことができる医療支援装置を提供することができる。【０１１４】
本発明は、上述した実施の形態に限定されるものではなく、本発明の要旨を変えない範囲において、種々の変更、改変等が可能である。【０１１５】
本出願は、２０１３年６月５日に日本国に出願された特願２０１３−１１９１５１号を優先権主張の基礎として出願するものであり、上記の開示内容は、本願明細書、請求の範囲に引用されるものとする。
【図１】
0005750641.tif 000002
【図２】
0005750641.tif 000003
【図３】
0005750641.tif 000004
【図４】
0005750641.tif 000005
【図５】
0005750641.tif 000006
【図６】
0005750641.tif 000007
【図７】
0005750641.tif 000008
【図８】
0005750641.tif 000009
【図９】
0005750641.tif 000010
【図１０】
0005750641.tif 000011
【図１１】
0005750641.tif 000012
【図１２】
0005750641.tif 000013
【図１３】
0005750641.tif 000014
【図１４】
0005750641.tif 000015